(57)【要約】      （修正有）【課題】回路部品を統合した一種の単片状二極燃料板を提供する。【解決手段】二極燃料電池板１０に関るものであって、その回路部品は単片状二極燃料電池板上に統合されており、陽極集電板１０１と陰極集電板１０３と、少なくとも一個或いは一個以上の膜電極装置１０５を包括し、陽極集電板と陰極集電板との間に密接な二層構造になっており、回路部品１０７が設置されていることを特徴とする二極燃料電池板である。【選択図】図１
0003113042.tif 000002
【実用新案登録請求の範囲】
【請求項１】
陽極集電板と、陰極集電板と、少なくとも一個以上の膜電極装置とを含む二極燃料電池板は、陽極集電板と陰極集電板との間に密接な二層構造となり、回路部品を設置していることを特徴とする、二極燃料電池板。
【請求項２】
請求項１記載の二極燃料電池板において、該回路部品は少なくとも一つ以上の電子部品を含み、その該電子部品は能動電子部品、受動電子部品、感知部品、積体回路部品、マイクロ制御器、感知器、定電圧調整期、定電流調整期のうちの一個であるということを特徴とする、二極燃料電池板。
【請求項３】
請求項１記載の二極燃料電池板において、その回路部品は陽極集電板上にあるということを特徴とする、二極燃料電池板。
【請求項４】
請求項１記載の双極燃料電池板において、その回路部品は陰極集電板上にあるということを特徴とする、二極燃料電池板。
【請求項５】
請求項１記載の二極燃料電池板において、その回路部品は陽極集電板と陰極集電板との間に密接な二重構造になっていることを特徴とする、二極燃料電池板。
【請求項６】
請求項１記載の二極燃料電池板において、膜電極装置と電気的に接続されている回路部品を具えたことを特徴とする、二極燃料電池板。
【請求項７】
請求項１記載の二極燃料電池板において、その二極燃料電池板は気体燃料を用いる二極燃料電池板であることを特徴とする、二極燃料電池板。
【請求項８】
請求項１記載の二極燃料電池板において、その二極燃料電池板は、液体燃料を用いる二極燃料電池板であることを特徴とする、二極燃料電池板。
【請求項９】
請求項１記載の二極燃料電池板において、その二極燃料電池板は、固体燃料を用いる二極燃料電池板であることを特徴とする、二極燃料電池板。
【請求項１０】
請求項１記載の二極燃料電池板において、更に一歩進めて二極燃料電池板上に電気界面が設置され、かつ回路部品と電気的に連続していることを特徴とする、二極燃料電池板。
【請求項１１】
請求項１０記載の二極燃料電池板において、その電気界面は金端子であることを特徴とする、二極燃料電池板。
【請求項１２】
請求項１０記載の二極燃料電池板において、その電気界面は連接器であることを特徴とする、二極燃料電池板。
【請求項１３】
請求項１記載の二極燃料電池板は、更に一歩進めて回路部品に媒介基板が設置され、及び媒介基板は陽極集電板と陰極集電板との間に密接な二重構造になっていることを特徴とする、二極燃料電池板。
【請求項１４】
請求項１の二極燃料電池板において、その陽極集電板は一集電回路を含み、その集電回路の表面には保護及び／或いは酸化防止処理が施されていることを特徴とする、二極燃料電池板。
【請求項１５】
請求項１の二極燃料電池板において、その陰極集電板は一集電回路を含み、その集電回路の表面には保護及び／或いは酸化防止処理が施されていることを特徴とする、二極燃料電池板。
【請求項１６】
請求項１４の二極燃料電池板において、該膜電極装置と接触する集電回路の表面に伝導性の高い金属材質を塗布することを特徴とする、二極燃料電池板。
【請求項１７】
請求項１５の二極燃料電池板において、その膜電極装置と接する集電回路の表面に伝導性の高い金属材質を塗布することを特徴とする、二極燃料電池板。
【請求項１８】
請求項１６と１７との二極燃料電池板において、その金属材質は金、炭素などの合金か単一金属材質の一個とすることを特徴とする、二極燃料電池板。
【請求項１９】
請求項１４の集電回路層において、陽極集電板の外側表面の集電回路の表面に金属材質及び／或いは非金属材質を塗布することを特徴とする、二極燃料電池板。
【請求項２０】
請求項１５の集電回路層において、陰極集電板の外側表面の集電回路の表面に金属材質及び／或いは非金属材質を塗布することを特徴とする、二極燃料電池板。
【考案の詳細な説明】
【技術分野】
【０００１】
本考案は一種の二極燃料電池板に関り、特に回路部品を統合した単片状二極燃料電池板に関するものである。
【背景技術】
【０００２】
燃料電池装置のうち、燃料電池を用いた操作回路に関して言うなら、例えばエネルギー管理回路、燃料温度／燃料濃度／燃料量測定回路、燃料流量コントロール回路等、これらの回路は全て外接式方式或いは層構造方式を採用し、かつ膜電極装置層とはそれなりに分離しており、よってケーブルを用いて回路と膜電極装置層とを電気によって結合させるか、或いは電気伝導能力のある貫通孔を備えることで回路と膜電極装置の電気を結合させることが必要不可欠となる。
【考案の開示】
【考案が解決しようとする課題】
【０００３】
燃料電池装置の構造を熟知しないと膜電極装置を備えた燃料電池板は外部に設置されている回路との連結が必要と考えられ、これにより、この燃料電池板をモジュール化することが不可能とならしめ、燃料電池装置の全体体積が小型化、微小化されることすら妨げてしまう。
【０００４】
本考案の考案者は、燃料電池装置に採用される燃料電池板の欠点を鑑み、回路部品を統合する単片状二極燃料電池板を改良・創作することを切望したのである。
本考案の主な目的は、回路部品を統合した一種の単片状二極燃料板を提供することにある。
【課題を解決するための手段】
【０００５】
上記目的を達成するために、本考案は、陽極極集電板、陰極集電板、そして少なくとも一個或いは一個以上の膜電極装置を包括する一種の二極燃料電池板を提供する。また、該膜電極装置は陽極集電板と陰極集電板との間に密接な二層構造になっており、回路部品が設置されていることを特徴とする二極燃料電池板である。
【考案の効果】
【０００６】
本考案の二極燃料電池板の長所と効果は明らかに増進の道をたどっており、それは以下のとおりである。
1.本考案の二極燃料電池板は燃料電池中において電力を産出する重要なモジュールと回路部品を統合してワンピース（Ｏｎｅ  Ｐｉｅｃｅ）をなし、回路部品の展開する全ての回路が展開する回路機能を通して、二極燃料電池装置により広がりを備えることが出来る。
2.本考案の二極燃料電池板はワンピース構造を採り、それ自体回路機能を備え、よってモジュール化できる特質を持つ。
以上は本考案の解釈に最適の実施例であり、本考案のどのような形式上の限定と改変をうけるものではなく、また、本考案に関するいかなる修飾或いは改変も全て本考案の保護範疇にある。
【考案を実施するための最良の形態】
【０００７】
本考案の二極燃料電池板の構造見取図は図１のとおりである。該二極燃料電池板１０は主に陽極集電板１０１、陰極集電板１０３、及び少なくとも一個或いは一個以上の膜電極装置１０５を包括し、それぞれについては以下のとおり説明する。
【０００８】
本考案の陽極集電板１０１と陰極集電板１０３の実施手段は、例えば銅箔両面基板のようなプリント回路板基材を採用し、プリント回路板の製造過程を施すことで、銅箔両面基盤の外側表面と内側表面の銅箔をエッチングでき、更に陽極集電板１０１と陰極集電板１０３とを分別して製作することができる。
【０００９】
さらに、該膜電極装置１０５に接触する該集電回路１０１ａ，１０３ａの表面に対し、一歩進めて保護または酸化防止処理も行うことで、燃料又は電化学反応の生成物が集電回路の進行を破壊することを避けられる。また保護或いは酸化防止処理の具体的な手段は、例えば金や炭素などの合金或いは単一金属材質のような電気伝導性の高い金属材質を塗布することで可能となる。
【００１０】
同時に集電板１０１、１０３の外側表面に位置する該集電回路１０１ａ、１０３ａの表面に対し、保護或いは酸化防止処理のために施される全ての具体的手段は、やはり例えば金属材質或いは非金属材質を塗布する方式による。該膜電極装置１０５は陽極集電板１０１と陰極集電板１０３との間に密接な二重構造になっている。
【００１１】
本考案の主要な特徴は回路部品１０７を二極燃料電池板１０の中に設置する事であり、それにより、膜電極装置１０５が陽極燃料と陰極燃料との供給を得て電力を産出できるようにし、かつ二極燃料電池板１０が、電力産出機能以外に、回路部品１０７が形成する全ての電気回路を通して、回路を統合する機能を備え、さらに一歩進んで二極燃料電池板１０の供給電力品質を向上させようとするものである。
【００１２】
図２は、図１の二極燃料電池板の構造を実現しうる第一実施例である。図２において、
回路部品１０７は直接陽極集電板１０１の外側表面上に、あるいは陰極集電板１０３の
外側表面上に設置されている。陽極集電板１０１と陰極集電板１０３とを分別して製作する際、プリント回路板の製造過程を施し、銅箔基板の銅箔により網状集電回路１０１ａ、１０３ａ、及び基板外側表面の銅箔によりレイアウト（Ｌａｙｏｕｔ）を形成し、そして回路部品１０７をレイアウト上に溶接する。図２の二極燃料電池板１０を組み立てる際、陽極集電板１０１、該膜電極装置１０５、及び陰極集電板１０３を上から順に積み重ね、また接合手段により、一個の単片二極燃料電池板１０を形成する。
【００１３】
図３は、図１の二極燃料電池板の構造を実現しうる第二実施例である。図３において、回路部品１０７は陽極集電板１０１の内側表面上、或いは陰極集電板１０３の内側表面上に直接設置されている。陽極集電板１０１と陰極集電板１０３を分別して製作する際、プリント回路の製造工程を施し、銅箔基板の銅箔により網状集電回路１０１ａ、１０３ａ、及び基板内側表面の銅箔によりレイアウトを形成し、それから回路部品１０７をレイアウト上に溶接する。図３の二極燃料電池板１０を組み立てるとき、陽極集電板１０１、該膜電極装置１０５、および陰極集電板１０３を上から順番に積み重ね、また接合手段により、一個の単片二極燃料電池板１０を形成する
【００１４】
図４は、図１の二極燃料電池板の構造を実現しうる第三実施例である。図４において、回路部品１０７は直接媒介基板１０９の表面に設置され、媒介基板１０９は軟性回路板を採用し、ならびにプリント回路板の製造工程を施しレイアウトを形成し、そして回路部品１０７をレイアウト上に溶接する。媒介基板１０９は口の字型を採用し、よって該膜電極装置１０５を媒介基板１０９の空洞内に設置することが出来る。組み立てる際、陽極集電板１０１、該膜電極装置１０５、媒介基板１０９、そして陰極集電板１０３を上から順に積み重ね、また接合手段により、一個の単片二極燃料電池板１０を形成する。
【００１５】
図５は、図１の二極燃料電池板を一歩進めて電気界面に設置した場合の構造図である。電気界面１１１は陽極集電板１０１の一側面、或いは陰極集電板１０３の一側面に設置し、また電気界面１１１は該膜電極装置１０５及び電気回路１０７を電気的に接続させることができ、その電気界面１１１の実施手段は金端子、連接器などの方式をとる。
【００１６】
本考案の回路部品１０７は、能動電子部品、受動電子部品、感知部品、積体回路部品、マイクロコントロール器、感知器、定電圧調整器、定電流調整器などとする。感知部品の具体的判例は、例えば濃度感知器、液面感知器、温度感知器、電圧感知器及び電流感知器といった部品である。能動電子部品の具体的判例は、例えば濃度制御器、液面制御器、温度制御器及び電流制御器といった部品である。
【図面の簡単な説明】
【００１７】
【図１】本考案の二極燃料電池板の構造見取図である。
【図２】図１の二極燃料電池板の構造を実現しうる第一実施例である。
【図３】図１の二極燃料電池板の構造を実現しうる第二実施例である。
【図４】図１の二極燃料電池板の構造を実現しうる第三実施例である。
【図５】図１の二極燃料電池板を一歩進めて電気媒介面を設置した構造図である。
【符号の説明】
【００１８】
１０      二極燃料電池板
１０１    陽極集電板
１０１ａ  集電回路
１０３    陰極集電板
１０３ａ  集電回路
１０５    膜電極装置
１０７    回路部品
１１１    電気媒介面
【図１】
0003113042.tif 000003
【図２】
0003113042.tif 000004
【図３】
0003113042.tif 000005
【図４】
0003113042.tif 000006
【図５】
0003113042.tif 000007